(57)【要約】【課題】  支軸をブラケットに差込むの方向が限定されたり、車体やリヤサスペンションの設計に制約を課す点を解決することで、支軸をブラケットに差込む作業の方向を任意に選択できることを可能にするとともに、車体（車体フレーム）やサスペンションの設計の自由度を拡げることを可能にする。【解決手段】  サスペンションアーム６１を予めブラケット７２，７２に取付け、このブラケット７２，７２を車体下方から車体フレーム（車体）１２側へボルト締めする車両用サスペンションアーム取付構造であって、ブラケット７２に、サスペンションアーム６１の支軸７１を略水平方向に支持する支持部７３，７３を備えるとともに、車体上下方向にボルト締結する第１〜第３の取付部（取付点）を支軸７１の廻りに少なくとも３点備えた。【選択図】      図４
2006219005.tif 000002
【特許請求の範囲】
【請求項１】
サスペンションアームを予めブラケットに取付け、このブラケットを車体下方から車体側へボルト締めする車両用サスペンションアーム取付構造であって、
前記ブラケットは、前記サスペンションアームの支軸を略水平方向に支持する支持部を備えるとともに、前記車体上下方向にボルト締結する取付点を前記支軸の廻りに少なくとも２点備えたことを特徴とする車両用サスペンションアーム取付構造。
【発明の詳細な説明】
【技術分野】
【０００１】
本発明は、車体側にリヤサスペンションを取付けることができる車両用サスペンションアーム取付構造に関するものである。
【背景技術】
【０００２】
車両用サスペンションアーム取付構造として、サスペンションアームを車体側へブラケットを介して取付けるものが実用に供されている。
実用の車両用サスペンションアーム取付構造は、車体側にブラケットを取付け、このブラケットにサスペンションアームを軸支すれば実用上十分であった。
【０００３】
このような車両用サスペンションアーム取付構造として、車体側にブラケットを取付け、このブラケットにリヤサスペンションをスイング自在に支持するものが知られている（例えば、特許文献１参照。）。
【特許文献１】特許第３５９０２５６号公報（第９頁、図１）
【０００４】
図８は従来の基本構成を説明する図であり、車両用サスペンションアーム取付構造２５０は、二点鎖線で示すリヤサイドフレーム２５１，２５１の下部に予めブラケット２５２，２５２を取付け（溶接し）、これらのブラケット２５２，２５２に支軸２５３，２５３を介してリヤサスペンション２５４のサスペンションアーム２５５をスイング自在に取付けたものである。
【０００５】
しかし、車両用サスペンションアーム取付構造２５０では、例えば、二点差線が示す車体側の特定のフレーム（部品）２５６が有るときには、支軸２５３をブラケット２５２に差込む方向が限定されることになり、例えば、車体（車体フレーム）やリヤサスペンション２５４の設計に制約を課すことがあるという問題があった。
【０００６】
また、車両用サスペンションアーム取付構造２５０では、ブラケット２５２をリヤサイドフレーム２５１などの単一の部材に取付けたものであり、ブラケット２５２をもっと広い範囲に支持させることで、サスペンションアーム２５５の支持部分の剛性を確保したい場合がある。
【０００７】
すなわち、支軸をブラケットに差込む作業の方向任意に選択可能であり、車体（車体フレーム）やサスペンションの設計の自由度を拡げることができる車両用サスペンションアーム取付構造が望まれるとともに、サスペンションの取付けの剛性の向上を図ることができる車両用サスペンションアーム取付構造が望まれる。
【発明の開示】
【発明が解決しようとする課題】
【０００８】
本発明は、支軸をブラケットに差込む方向が限定されたり、車体やリヤサスペンションの設計に制約を課す点を解決し、支軸をブラケットに差込む作業の方向を任意に選択可能であり、車体（車体フレーム）やリヤサスペンションの設計の自由度を拡げることができる車両用ペンションアーム取付構造を提供することを課題とする。
また、サスペンションの取付けの剛性の向上を図ることができる車両用サスペンションアーム取付構造を提供することを課題とする。
【課題を解決するための手段】
【０００９】
請求項１に係る発明は、サスペンションアームを予めブラケットに取付け、このブラケットを車体下方から車体側へボルト締めする車両用サスペンションアーム取付構造であって、ブラケットに、サスペンションアームの支軸を略水平方向に支持する支持部を備えるとともに、車体上下方向にボルト締結する取付点を支軸の廻りに少なくとも２点備えたことを特徴とする。
【００１０】
例えば、支軸をブラケットに差込む方向任意に設定することができるとすれば、組立作業の作業性の向上を図ることができるので好都合であり、車体（車体フレーム）やリヤサスペンションの設計に制約を取去ることができれば、設計の自由度を拡げることができるので好ましいことである。
また、車体側に予めブラケットを取付け、このブラケットにリヤサスペンションを軸支する場合には、車体（車体フレーム）の特定部分が作業の妨げになることがある。
【００１１】
そこで、サスペンションアームを予めブラケットに取付け、このブラケットを車体下方から車体側へボルト締めすることで、リヤサスペンションの取付け作業を車体下方から行うことができる。
【００１２】
また、ブラケットに、サスペンションアームの支軸を略水平方向に支持する支持部を備えるとともに、車体上下方向にボルト締結する取付点を支軸の廻りに少なくとも２点備えることで、車体の広い範囲に若しくは複数の部材にブラケットを取付けることができる。
【発明の効果】
【００１３】
請求項１に係る発明では、サスペンションアームを予めブラケットに取付け、このブラケットを車体下方から車体側へボルト締めしたので、リヤサスペンションの取付け作業を車体下方から行うことができる。この結果、組立作業の作業性の向上を図ることができるとともに、車体（車体フレーム）やリヤサスペンションの設計の自由度を拡げることができるという利点がある。言い換えれば、車体レイアウトに左右されず、サスペンションアームを任意に配置することができる。
【００１４】
また、ブラケットに、サスペンションアームの支軸を略水平方向に支持する支持部を備えるとともに、車体上下方向にボルト締結する取付点を支軸の廻りに少なくとも２点備えたので、車体の広い範囲に若しくは複数の部材にブラケットを取付けることができる。この結果、サスペンションアームの取付けの剛性の向上を図ることができるという利点がある。
【発明を実施するための最良の形態】
【００１５】
本発明を実施するための最良の形態を添付図に基づいて以下に説明する。なお、図面は符号の向きに見るものとする。
図１は本発明に係る車両用サスペンションアーム取付構造を採用した車両の斜視図であり、１０は車両、１２は車体フレーム、１３は車室、１４はフロントバンパ、１５はフロントフェンダ、１６は前輪、１７は後輪、１８は前ドア、１９は後ドア、２１はテールゲート、２２はリヤバンパ、２３はボンネット、２４はルーフ、２６はリヤサスペンション、２７はホイールハウスである。
本発明に係る車両用サスペンションアーム取付構造７０は、車体レイアウトに左右されず、サスペンションアームの設計の自由度の向上を図ることのできる構造である。
【００１６】
図２は本発明に係る車両用サスペンションアーム取付構造の底面から表した斜視図であり、車両用サスペンションアーム取付構造７０は、車体フレーム１２の後部を構成する車体としての後部車体フレーム２５と、リヤサスペンション２６と、から構成する構造である。
【００１７】
後部車体フレーム２５は、左右のサイドフレーム（フロアフレーム）４２Ｌ，４２Ｒと、これらのサイドフレーム４２Ｌ，４２Ｒから車体後方へ延ばした左右のリヤフレーム（リヤサイドフレーム）４３，４３と、左右のサイドフレーム４２Ｌ，４２Ｒの中間を繋ぐ中間部クロスメンバ４５と、左右のサイドフレーム４２Ｌ，４２Ｒの後部を繋ぐ後部クロスメンバ４６と、左右のサイドフレーム４２Ｌ，４２Ｒの中間クロスメンバ４５の接続位置から外方にそれぞれ延ばした左右の中間部アウトリガ（張出し部材）４８，４８（一方の４８は不図示）と、左右のサイドフレーム４２Ｌ，４２Ｒの後部クロスメンバ４６接続位置から外方にそれぞれ延ばした左右の後部アウトリガ（張出し部材）４９，４９と、左の中間・後部アウトリガ４８，４９の先端に接続した左のサイドシル５１Ｌと、右の中間部・後部アウトリガ４８，４９の先端に接続した右のサイドシル５１Ｒと、左右のリヤフレーム４３，４３に渡した中間部リヤクロスメンバ５５と、左右のリヤフレーム４３，４３に渡した後部リヤクロスメンバ５６と、後部リヤクロスメンバ５６から中間部リヤクロスメンバ５５に渡した一対の縦メンバ５９，５９と、を主要構成とするフレームである。  なお、５７はリヤフレームの後端に渡したリヤバンパビームである。
【００１８】
図３は本発明に係る車両用サスペンションアーム取付構造のリヤサスペンションの斜視図であり、リヤサスペンション２６は、サスペンションアーム（サスペンションフレーム）６１と、このサスペンションアーム６１に一端を取付けるとともに他端を後部車体フレーム２５（図２参照）側に支持する左右のダンパ（クッションアブソーバ）６２，６２と、サスペンションアーム６１に支持させる左右のコイルスプリング（コイルばね）６３，６３と、を主要構成とするセミトレーリング式のサスペンションである。
【００１９】
サスペンションアーム６１は、左右のトレーリングアーム６４，６４と、これらの左右のトレーリングアーム６４，６４に渡したクロスビーム６５と、左右のトレーリングアーム６４，６４にそれぞれ設けることで後輪１７，１７を支持するナックル６６，６６と、からなる。
【００２０】
トレーリングアーム６４は、後部車体フレーム２５にスイング自在に取付けるための左のトレーリングアーム６４に設けたブッシュアッセンブリ６７と、ダンパ６２を取付けるために右のトレーリングアーム６４に設けた取付部６８と、コイルスプリング６３を受けるコイルスプリング受け部６９と、ブッシュアッセンブリ６７を左のトレーリングアーム６４に支軸７１を介して取付けるブラケット（ホルダ部）７２と、からなる。
【００２１】
図４は本発明に係る車両用サスペンションアーム取付構造の底面図であり、ブラケット７２は、ブッシュアッセンブリ６７後部車体フレーム２５側にスイング自在に取付けるために支軸７１を略水平方向に支持する支持部７３，７３と、右のサイドフレーム（フロアフレーム）４２の底面７７ａにボルト７８で取付ける取付点としての第１の取付部７４と、右のリヤフレーム４３の底面４３ａにボルト７８で取付ける取付点としての第２の取付部７５と、右にサイドシル５１Ｒの底面７９ａにボルト７８で取付ける取付点としての第３の取付部７６と、を備えたものである。
【００２２】
図５は本発明に係る車両用サスペンションアーム取付構造の正面図であり、車両用サスペンションアーム取付構造７０は、サスペンションアーム６１を予めブラケット７２，７２に取付け、このブラケット７２，７２を車体下方から車体フレーム（車体）１２側へボルト締めする車両用サスペンションアーム取付構造であって、ブラケット７２に、サスペンションアーム６１の支軸７１を略水平方向に支持する支持部７３，７３を備えるとともに、車体上下方向にボルト締結する第１〜第３の取付部（取付点）７４〜７６を支軸７１の廻りに少なくとも３点備えたものと言える。
【００２３】
例えば、支軸をブラケットに差込む方向任意にできるとすれば、組立作業の作業性の向上を図ることができるので好都合であり、車体（車体フレーム）やリヤサスペンションの設計に制約を取去ることができれば、設計の自由度を拡げることができるので好ましいことである。
また、車体側に予めブラケットを取付け、このブラケットにリヤサスペンションを軸支する場合には、車体（車体フレーム）の特定部分が作業の妨げになることがある。
【００２４】
そこで、サスペンションアーム６１を予めブラケット７２，７２に取付け、このブラケット７２，７２を車体下方から車体フレーム（車体）１２側へボルト締めすることで、リヤサスペンション２６の取付け作業を車体下方から行うことができる。この結果、組立作業の作業性の向上を図ることができるとともに、車体フレーム（車体）１２やリヤサスペンション２６の設計の自由度を拡げることができる。言い換えれば、車体レイアウトに左右されず、サスペンションアーム６１を任意に配置することができる。
【００２５】
また、ブラケット７２に、サスペンションアーム６１の支軸７１を略水平方向に支持する支持部７３，７３を備えるとともに、車体上下方向にボルト締結する第１〜第３の取付部（取付点）７４〜７６を支軸７１の廻りに少なくとも３点備えることで、車体の広い範囲に若しくは複数の部材にブラケットを取付けることができる。この結果、リヤサスペンション２６の取付けの剛性の向上を図ることができる。
【００２６】
図６（ａ），（ｂ）は本発明に係る車両用サスペンションアーム取付構造の取付作業を示す比較説明図であり、（ａ）は比較例の車両用サスペンションアーム取付構造１７０の取付作業を示し、（ｂ）は実施例の車両用サスペンションアーム取付構造７０の取付作業を示す。
【００２７】
（ａ）において、車両用サスペンションアーム取付構造１７０は、リヤサイドフレーム１７１の下部に予めリヤサスペンション１７２を支持するブラケット１７３を溶接にて取付け、このブラケット１７３に支軸１７４を介してリヤサスペンション１７２のサスペンションアーム１７５をスイング自在に取付けたものである。
【００２８】
例えば、支軸１７４挿入方向に車体側のフレーム部分や他部品が有るときには、支軸１７４をブラケット１７３に差込むことができないので、支軸１７４挿入方向が限定されることになり、車体（車体フレーム）やリヤサスペンション１７２廻りの設計に制約を課すことがある。
【００２９】
（ｂ）において、サスペンションアーム６１を予めブラケット７２，７２に取付け、このブラケット７２，７２を車体下方から車体フレーム（車体）１２側へボルト締めすることで、リヤサスペンション２６の取付け作業を限定する障害物のない車体下方から行うことができる。すなわち、車体レイアウトに左右されず、サスペンションアーム６１を任意に配置することができる。
【００３０】
図７（ａ），（ｂ）は本発明に係る車両用サスペンションアーム取付構造のアーム支持状態を示す比較説明図であり、（ａ）は比較例の車両用サスペンションアーム取付構造１７０の取付作業を示し、（ｂ）は実施例の車両用サスペンションアーム取付構造７０の取付作業を示す。
【００３１】
（ａ）において、車両用サスペンションアーム取付構造１７０は、サスペンションアーム１７５をスイング自在に支持するブラケット１７３をリヤサイドフレーム１７１のみに（単一の部材に）取付けたものである。従って、リヤサスペンション１７２からの荷重がリヤサイドフレーム１７１に集中する。
【００３２】
（ｂ）において、ブラケット７２に、サスペンションアーム６１の支軸７１を略水平方向に支持する支持部７３，７３を備えるとともに、車体上下方向にボルト締結する第１〜第３の取付部（取付点）７４〜７６を支軸７１の廻りに３点備えることで、車体の広い範囲に若しくは複数の部材にブラケット７２を取付けることができる。これにより、リヤサスペンション２６の取付けの剛性の向上を図るできる。また、車体フレーム１２（図２参照）の軽量化を図ることができる。
【００３３】
尚、本発明に係る車両用サスペンションアーム取付構造は、図３に示すように、リヤサスペンション２６はセミトレーリング式のリヤサスペンションであったが、これに限るものではなく、フルトレーリング式のサスペンションであってもよい。
【００３４】
本発明に係る車両用サスペンションアーム取付構造は、図４に示すように、車体上下方向にボルト締結する第１〜第３の取付部（取付点）を支軸７１の廻りに３点備えたが、これに限るものではなく、取付点を２点以上備えたものであればよい。
【産業上の利用可能性】
【００３５】
本発明に係る車両用サスペンションアーム取付構造は、ミニバンや乗用車などのリヤサスペンションの取付けに採用するのに好適である。
【図面の簡単な説明】
【００３６】
【図１】本発明に係る車両用サスペンションアーム取付構造を採用した車両の斜視図である。
【図２】本発明に係る車両用サスペンションアーム取付構造の斜視図である。
【図３】本発明に係る車両用サスペンションアーム取付構造のリヤサスペンションの斜視図である。
【図４】本発明に係る車両用サスペンションアーム取付構造の平面図である。
【図５】本発明に係る車両用サスペンションアーム取付構造の正面図である。
【図６】本発明に係る車両用サスペンションアーム取付構造の取付作業を示す比較説明図である。
【図７】本発明に係る車両用サスペンションアーム取付構造のアーム支持状態を示す比較説明図である。
【図８】従来の基本構成を説明する図である。
【符号の説明】
【００３７】
１０…車両、１２…車体フレーム、２６…サスペンション、６１…サスペンションアーム、７０…車両用サスペンションアーム取付構造、７１…支軸、７２…ブラケット、７３…支持部、７４〜７６…取付点（第１〜第３の取付部）。
【図１】
2006219005.tif 000003
【図２】
2006219005.tif 000004
【図３】
2006219005.tif 000005
【図４】
2006219005.tif 000006
【図５】
2006219005.tif 000007
【図６】
2006219005.tif 000008
【図７】
2006219005.tif 000009
【図８】
2006219005.tif 000010